Podtech/llm-jp-corpus-v4-ja_patent huggingface dataset:
(57)【要約】【課題】デバイスの特性の制度を上げるためには機械工程や化学行程を含む複雑な加工工程が必要となりで製造コストが増大するという問題があった。【解決手段】１つの開口部と複数の開口部が２次元平面で結び付けられていることでグラフェン構造体を構成されている。【選択図】図１
2015020946.tif 000002
【特許請求の範囲】
【請求項１】
１つの開口部と複数の開口部が２次元平面で結び付けられていることを特徴とするグラフェン構造体。
【請求項２】
前記２次平面が単層グラフェンから形成されていることを特徴とするグラフェン構造体。
【請求項３】
前記２次平面が多層グラフェンから形成されていることを特徴とするグラフェン構造体。
【請求項４】
１つの開口部を形成すること、複数の開口部を形成すること、前記の開口部を２次元平面で結び付けることを含むグラフェン構造体の製造方法。
【請求項５】
前記２次平面が単層グラフェンから形成されていることを特徴とする請求項４記載のグラフェン構造体の製造方法。
【請求項６】
前記２次平面が多層グラフェンから形成されていることを特徴とする請求項４記載のグラフェン構造体の製造方法。
【発明の詳細な説明】
【技術分野】
【０００１】  本発明は、電子機器などのデバイスとして用いられるグラフェン構造体並びにグラフェン構造体の製造方法に関する。
【背景技術】
【０００２】  炭素質材料の基本的な単位構造であるグラフェン（ｇｒａｐｈｅｎｅ）は、グラファイトの層構造が剥離されて厚さが原子一個分しかない単一層となったもの、つまり炭素原子が一原子の厚さ分で連続的にシート状に形成された六角形格子構造を有するものである。グラフェンは光透過性があり金属と半導体の両方の性質を有することから、高速トランジスタや太陽電池等の種々の電子デバイスにおける導体膜（層）や電極といった各種電子デバイス要素等として、様々な用途への応用が期待されている。【０００３】  また近年、グラフェンにドーパントをドーピングすることによりキャリア濃度を向上させ電気抵抗を低下（導電性を向上）させることが可能であることがわかっている。さらには多層グラフェン（単層グラフェンが複数層積層されたもの）の開発も進んでいる。また将来的には量子コンピュータのデバイスとしても有力な候補として挙げることができる。【０００４】  ところで、このようなグラフェンの製造方法としては、例えば、特許文献１乃至３に記載されたような方法が提案されているが、一般的には、入手可能なグラファイトから、その層構造を機械的又は化学的に剥離して単層化したもの（例えば、フレーク状のもの）を作製することができる。またこのような問題に対し、例えば非特許文献１には、多層グラフェン（単層グラフェンが複数層積層されたもの）の層間にドーパントを挿入し、導電特性の経時劣化を抑制する技術について開示されている。また近年次世代の計算機である量子コンピュータの理論的な発展が著しい。この量子コンピュータの実現のためのデバイスとしてグラフェンを使用することも視野に入りつつある。
【先行技術文献】
【特許文献】
【０００５】
【特許文献１】特開２００７−３３５５３２号公報
【特許文献２】特開２００９−２００１７７号公報
【特許文献３】特開２００９−１４３７６１号公報
【非特許文献】
【０００６】
【非特許文献１】Ｆｅｔｈｕｌｌａｈ  Ｇｕｎｅｓ  ｅｔ  ａｌ．，“Ｌａｙｅｒ−ｂｙ−Ｌａｙｅｒ  Ｄｏｐｉｎｇ  ｏｆ  Ｆｅｗ−Ｌａｙｅｒ  Ｇｒａｐｈｅｎｅ  Ｆｉｌｍ”，ＡＣＳ  Ｎａｎｏ，Ｊｕｌｙ  ２７  ２０１０，Ｖｏｌ．４，Ｎｏ．８，ｐｐ４５９５−４６００
【発明の概要】
【発明が解決しようとする課題】
【０００７】  しかし、グラフェンを上述したような種々の用途の電子デバイスに用いるためには、用途に応じて、グラフェンのパターニングを制御したりドーピングすることが必要となる。しかしながら、デバイスの特性の制度を上げるためには機械工程や化学行程を含む複雑な加工工程が必要となりで製造コストが増大するという問題があった。【０００８】  そこで、本発明はグラフェンの物理特性が高精度で確立できるグラフェン構造体並びにグラフェン構造体の製造方法を提供することを課題とする。
【課題を解決するための手段】
【０００９】  上記課題を解決するために、本発明は、１つの開口部と複数の開口部が２次元平面で結び付けられていることでグラフェン構造体を構成している。
また前記グラフェン構造体が単層グラフェンから構成されている。
また前記グラフェン構造体が多層グラフェンから構成されている。【００１０】  また本発明のグラフェン構造体の製造方法は１つの開口部を形成すること、複数の開口部を形成すること、前記の開口部を２次元平面で結び付けることを含む。
また前記グラフェン構造体の製造方法の２次平面が単層グラフェンから形成されていることを特徴とする。
また前記グラフェン構造体の製造方法の２次平面が多層グラフェンから形成されていることを特徴とする。
【発明の効果】
【００１１】  以上の説明から明らかなように本発明においては以下に列挙する効果が得られる。
２次元平面から形成されるグラフェンの開口部の個数を定めることにより高精度な物理特性を得ることができる。さらには量子情報を取り扱うデバイスとしての性能も有する。
【図面の簡単な説明】
【００１２】
【図１】本発明を実施するための実施形態の説明図である。
【発明を実施するための形態】
【００１３】  以下の本発明を詳細に説明する。実施の形態では、二股の形状について説明するがｎ股についても同様に適用することができる。またグラフェンは単層でも多層でもいずれの形態も可能である。
【実施例】
【００１４】  図１に本発明のグラフェン構造体の構成を示す説明図を示す。本発明はグラフェンにｎ股構造を形成することで物理特性を制御するというものである。グラフェン構造体はズボンの形状を有し、腰部分と脚部分に対応する場所に開口部を有する。
グラフェンはディラック電子系としての性質をもっている。有効理論の適用によりグラフェンの物理的特性には、位相不変量で定義されるものがある。具体的には量子ホール効果も位相不変量による記述が可能である。Ａｔｉｙａ−Ｓｉｎｇｅｒの指数定理で示される指数も位相不変量である。この特性により腰部分の指数と脚部分の指数の和が等しいことが保証される。
この指数は、伝導率やｄｅｇｅｎｅｒａｃｙを示すものである。これにより電気伝導の制御または量子コンピュータにおけるメモリデバイスとして用いることができる。
本願ではこの指数で示される物理量の位相不変性を用いて物理特性を高精度で制御するものである。
【産業上の利用可能性】
【００１５】本発明はグラフェン構造体並びにグラフェン構造体の製造方法に関する産業で利用される。
【符号の説明】
【００１６】  １…グラフェン構造体  ２…開口部
【図１】
2015020946.tif 000003
(57)【要約】      （修正有）【課題】車道や特に歩道の路面は凹凸が多く、乗り心地を考えるとタイヤの空気充填容積を多く取る必要が有り、空気圧も低めに設定せざるを得ず、転がり抵抗が大きくペダリングに余計な力が必要となる。乗り心地を悪化させず逆に良くしながら、細いタイヤで空気圧も高めの設定ができ、軽いペダリングで走行できる自転車を提案する。【解決手段】コイルスプリング・ダンパーユニット８の片側は、ヘッドチューブ付近のトップチューブ部分に設けたブラケット４ｃでピボット接続し、もう片側は、ロッカーアーム５の先端とピボット接続する。コイルスプリング・ダンパーユニット８は、ダンピングの強弱をダイヤルで変えられる調整式とする。【選択図】図１
2015020582.tif 000002
【特許請求の範囲】
【請求項１】
操縦管の回転軸の延長線上に、回転の中心を持つボールジョイント或いは、ユニバーサルジョイント等、前後左右に回転可能なジョイントを有し、ジョイントの片方を可動式フロントフォークの揺動部分に固定、もう片方をロッドの先端に固定し、ロッドの後端はピボットを持ち、ロッカーアームに回転可能状態で結ぶ構造を持つ自転車及び自動二輪車。
【請求項２】
ロッカーアームは車体側に設けたブラケットに回転可能状態で結び、ロッカーアームの先端に設けたブラケットと、車体側に設けたブラケットとを、コイルスプリング・ダンパーユニットで結び、回転可能状態で後輪を支持する後三角上部に設けたブラケットと、ロッカーアームの後端に設けたブラケットとを、先端と後端にピボットを持つロッドで結ぶ構造を持つ自転車及び自動二輪車。
【請求項３】
前輪の伸縮幅を1とした時後輪の伸縮幅を2、前輪の伸縮幅を2とした時後輪の伸縮幅を1とする比率の範囲で、前輪が縮んだ場合後輪も縮み、前輪が伸びた場合後輪も伸びる構造を持つ自転車及び自動二輪車。
【発明の詳細な説明】
【技術分野】
【０００１】
本発明は、路面の凹凸を通過する際の衝撃を極端に抑えたサスペンション付き自転車に関する。
【背景技術】
【０００２】
路面の凹凸を通過する際の衝撃を極端に抑えるには、車体を支えるバネを極端に軟らかくする必要がある。
【発明の開示】
【発明が解決しようとする課題】
【０００３】
車体を支えるバネを極端に軟らかくすると、減速の際に車体が極端な前傾姿勢になり、下り坂では前転倒の危険がある。
【課題を解決するための手段】
【０００４】
従来のサスペンションは、路面の凹凸に車体が追従しない様設けられているが、考え方を転換し路面の凹凸に車体が追従するサスペンションにする。
【０００５】
制動時、前輪が沈むと同時に後輪も沈めば車体の姿勢を維持する事が出来る。しかし、そうする事により路面の凹凸を越える際、従来のサスペンションの様には働かない。
【０００６】
短い時間で考えると、路面の突起を通過する際は、前輪が路面の突起に少し乗った時、前輪が少し持ち上げられる。この時、同時に後輪が少し沈み荷重が後方へ少し移動する。
【０００７】
これを連続して一つの突起を乗り越える事になり、路面の突起を乗り越える際の衝撃が、荷重移動により緩和され乗り心地の向上に寄与する。
【０００８】
この時の車体の姿勢は、前輪が突起に乗った際前輪が沈むと同時に後輪も沈むため、車体前方は路面に対して姿勢をほぼ維持するが、車体後方は沈むため、
後傾姿勢になり、結果的に路面の凹凸に対して追従した姿勢になる。
突起を降りる時は、前輪が伸びようとするが前輪のバネ下の重さより、後輪に掛かる重さの方が遥かに大きい為、動く事が出来ず車体が前傾姿勢になり、着地して初めて前輪が縮むと同時に後輪も縮む事となり、前傾姿勢のまま車体が沈み、結果的に路面の凹凸に対して追従した姿勢になる。
【０００９】
この事により、路面の凹凸を乗り越える際、サスペンションが付いていない車両と同じく車体は揺すられる。
【００１０】
しかしその衝撃は、荷重移動による緩和と、軟らかいバネとダンパーを介して伝わるため、極端に少なくなる。
【００１１】
前輪が沈むと同時に後輪を沈ませる構造は、テレスコピックのフロントフォークのバネとダンピング構造を外した状態で、操縦管の回転の中心線の延長線上に、回転の中心が重なる様にボールジョイント1を置き、ボールジョイント1のケースはフロントフォークの揺動アウターチューブ2側に固定する。
このアウターチューブ2は、中身は要らないのでフレーム材と同じチューブに置き換え、左右のチューブにブリッジを渡し補強し、このブリッジにボールジョイント1のケース側を取り付ける。
ボールジョイント1のボール側はフロントロッド3と結ばれ、車体に設けたブラケット4ａを回転の中心とするロッカーアーム5のピボット6ａに接続する。
前輪が沈んだ時、このロッカーアーム5が回転する。この回転を使って後輪を動かす。
前輪は直線運動で後輪は円運動の為、完全に一致はしないが、前輪が沈んだ分だけ後輪が沈む様アームの比率を計算し、その位置にビボット6ｂを設け、後輪を支持する後三角に設けたブラケット4ｂとをリアロッド7で結ぶ。
また、このロッカーアーム5の回転を使い、コイルスプリング・ダンパーユニット8を伸縮させる。
【００１２】
コイルスプリング・ダンパーユニット8の片側は、ヘッドチューブ付近のトップチューブ部分に設けたブラケット4ｃでピボット接続し、もう片側は、ロッカーアーム5の先端とピボット接続する。
コイルスプリング・ダンパーユニット8は、ダンピングの強弱をダイヤルで変えられる調整式にすると、路面の状態や好みにより走行中に変更できるので利便性を考慮し図1の位置に。
【００１３】
後輪の伸縮に前輪が追従し難くなり、乗り心地は落ちるが、ペダリングによる車体の上下の揺れを嫌う場合、通常のテレスコピックのフロントフォークをサスペンションとして使い、コイルスプリング・ダンパーユニット8を外す。
こうした場合、前輪の動きに後輪は追従するが、後輪の動きに前輪が追従し難い構造で、ペダリングによる車体の上下の揺れを抑える事が出来るが、後輪が凹凸を越える際、サスペンション機能は少なく衝撃は車体に伝わってしまうが、走破性に重きを置いた場合の仕様である。
【００１４】
テレスコピックのサスペンションであっても、コイルスプリング・ダンパーユニット8であっても、制動時は前輪が沈むと同時に後輪も沈み、車体は路面に対して水平姿勢を保つ。
【図面の簡単な説明】
【００１５】
【図１】この発明に係る前後輪リンク式サスペンションの一例の側面図である。
【図１】この発明に係る前後輪リンク式サスペンションの乗車時と制動時の一例の側面図である。
【符号の説明】
【００１６】
1  ボールジョイント
2     
フロントフォークの揺動アウターチューブ
3     
フロントロッド
4     
ブラケットａ．ｂ・ｃ
5     
ロッカーアーム
6     
ピボットａ．ｂ
7     
リアロッド
8     
コイルスプリング・ダンパーユニット
【図１】
2015020582.tif 000003
【手続補正書】
【提出日】平成25年12月2日(2013.12.2)
【手続補正１】
【補正対象書類名】明細書
【補正対象項目名】００１５
【補正方法】変更
【補正の内容】
【００１５】
【図１】この発明に係る前後輪リンク式サスペンションの乗車時と制動時の一例の側面図である。
(57)【要約】      （修正有）【課題】スクリュー方式での自力運転範囲が限られ他のタグボート等の動力スクリュー方式によって発着岸を行っている操作や航行方法を劇的に効率改善し、省エネと合わせて船舶の操作性を向上する船舶航行方法と技術方法を提供する。【解決手段】船上から空気を取り入れてダクトを通じて、現在の設置のスクリュー部分にそのダクトの先端を取り付けて、エアーを船艇から後方に送り込むことで、その推進力により船舶の航行前進の推進力を発揮させる。【選択図】図１
2015020639.tif 000002
【特許請求の範囲】
【請求項１】
本発明は、船舶すべての航行と操舵に関わる技術と燃料の効率性と、湾内での船舶の誘導と牽引に利用する範囲と、同ダクト排出口の場所と向きの取り付け方のによって、船舶の浮力と水面との接触面の軽減によって、抵抗の技術の向上による船舶推進能力の向上技術と船舶製造のコスト削減範囲にとする。
【発明の詳細な説明】
【技術分野】
【０００１】
大型船や中型船・小型船は、発熱動力をスクリュー方式に運動を変化して船舶の航行をしている。また大型船は、湾内の着岸や発岸の出航の際には、スクリューでの自力運転の範囲が限られ他のタグボート等の動力スクリュー方式によって発着岸を行ってる操作や航行方法を本発明によって劇的に効率を改善し、省エネと合わせて船舶の操作性を上げる分野を改革するものである。
【背景技術】
【０００２】
船舶の推進動力は、蒸気熱を利用した動力や内燃機関のピストンエンジンを、スクリューの駆動軸を回転させて、船舶を航行せせている。また、大型船は、湾内での自力操舵には限界があり、常時タグボートを便りに方向転換を行っている。その費用と時間と効率の悪さによって船舶の燃料と伴いコスト高が慢性的になっている。
【先行技術文献】
【特許文献】
【０００３】
【特許文献１】本発明の先行技術は全く該当がない。
【非特許文献】
【０００４】
【非特許文献１】本発明は、そのスクリュー方式による航行と操舵を画期的な技術と方法によって解決するものであるが、類似的にはオーバークラフトのような船上に設置して小型船航行はあるが、本発明は水中にその設備を設置するもので、全く新規の発明技術である。
【発明の概要】
【発明が解決しようとする課題】
【０００５】
本発明の課題は、船舶の動力からスクリュー軸に返還する航行方法を、スクリューの方法を全て撤去して気体のみを噴出させて船舶を航行させる技術である。
【課題を解決するための手段】
【０００６】
本発明の基本は、船上から空気を取り入れてダクトを通じて現在の設置のスクリュー部分にそのダクトの先端を取り付けて、エアーを船艇から後方に送り込むことで、その推進力によって船舶の航行前進の推進力を発揮する発明である。
【発明の効果】
【０００７】
本発明の効果は、従来のスクリュー軸の回転ロスを一切不要にして、航行エネルギー効率を極端に改善する事が出来る。また、スクリューのスーパーキャビテーションによる摩耗の取り替え費用等の原因は一切発生しない。更にスクリューによる大型漁獲類の接触事故は完全になくなる。更に、船首部分の左右に取り付けることで、急激的な方向転換も容易に出来船舶の追突事故は大幅に軽減出来る。そして船舶の左右のサイドに取り付けることで、ダグボートでの牽引なしで発着岸が容易に出来る。また、利用方法によってその場で船舶が一回転出来るので、着岸の狭い場所にも大型船が航行出来て、その場で自力回転して引き返しも容易に可能になる。
とくに船舶はスクリューを右回転か反回転での前進と後進の技術で操舵していたものを、左右のダクト排出口を設けることで、左右航行の操舵がその位置で可能になるのは、従来の技術では出来ない発明である。
【図面の簡単な説明】
【０００８】
【図１】図面は、本発明のエアーダクトの設置場所別の発明効果を個別に列挙したものである。図面１は、船艇の後部に設置して、本来の船舶航行を推進させるものである。図面2では、ダクト4と5のみを利用する、船舶が左方向にスライド移動出来る方法である。次に反対側の6と７のダクトのみを利用する反対側の右方向にスライド移動するものである。図面3では、ダクト設置の4と7をを同時に利用すると船舶がその位置での左回転をできるものである。図面5では、ダクトの5と6を利用するその場で右回転をできるものである。図面5は、ダクト3のみ利用すれば、左方向に舵を摂りやすくするものである。図面6は、ダクト4のみを利用すれば、右方向舵を摂りやすくなる。また、同時に舵の急激回避措置は、1を利用している急旋回を容易に可能となる説明をした本発明である。
【発明を実施するための形態】
【０００９】
本発明は、船舶に応じて、船上にタービンロータリを設置して、外部の空気を吸引して船艇のダクト排出口にエアーを送るだけのだけのシステムで全ての船舶に取り付けが可能と同時に利用出来る。また図面の1から7までのダクト排出口の大きさも変える事で全体の効果が自在に変える事が出来る。本動力源は、船上のタービンのみで全ての動力を可能にし、既存のスクリューを取り外して外部設置でも可能であり、新造船の内部にダクトを設置すれば、更に水の抵抗を無くすことが可能である。
【実施例】
【００１０】
本発明の実施例として、大型タンカーの先端部分の左右に取り付けるだけで、方向転換が非常に容易である。また、後付けの場合でも、発着岸時にサイドに取り付けたダクト排出口の利用箇所を選択操作するだけで、タグボート不要で狭い湾内の操作性を遥かに容易に出来る。
【産業上の利用可能性】
【００１１】
本発明は、特に船首部分に取り付けると、船舶の衝突事故の大半は、発見の遅れと急旋回の操作性に起因している。本発明は既存の船舶にも既存の動力を利用しても可能であるために、自動車のエアーバック効果のように急旋回に対応する装置を合わせれば、船舶事故は大幅に激減できる。
【符号の説明】
【００１２】
符号1は、本発明の最も効果が期待出来る前進の推進力を得るための位置をしめしたものである。符号3.4は、左右への舵取りでの容易にする為の位置である。符号4.5.6.7は、船舶自体が本来航行不能であった、左右の航行や同位置回転をする為にダクト排出口の位置である。
【図１】
2015020639.tif 000003
(57)【要約】      （修正有）【課題】腰に磁石を当てることで、血流が良くなることは、知られて要るところであるが、又、就寝時に腰にあてがうまくらに空気を入れて、調整出来るようにした、腰痛を改善する腰枕を提供する。【解決手段】腰枕４として、磁石と、空気と両方からいちどに解決出来るようにした物で有る。マイナス磁石６とプラス磁石５とを前後に配置することで、血流改善効果が出来るようにした、手動ポンプ３で空気で高さの調整が出来るようにした。【選択図】図１
2015020043.tif 000002
【特許請求の範囲】
【請求項１】
磁石式腰  枕
【請求項２】
空気式大きさ調整
【請求項３】
シート状で応用
【発明の詳細な説明】
【技術分野】
【００１】本発明は、磁石の磁気力を応用したものである【００２】磁石の配置により効果が異なります、三角を基本に配置することでゼロ磁場が構成されます、ゼロ磁場とはいくつかの文献があります、その意味するところ、非常に大であります、磁力と共に目には見えない物で有るから、何ら関係ないように思われがちであるが、極めて顕著に経験でき、体感できる物で有る。【００３】磁石の配置により威力が異なることもあり、幾度となく配置の検討をし、実験を繰り返すことにより得られたデーターを元に、構成配置された物で有る。【００４】磁石の持つ力の単位は、ガウスで表します、人体に良い影響を与える物として、ガウスの検討も忘れては成らない項目の一つであります、５００，１，０００，１，５００２，０００と検討した物で有る。【００５】此の商品を開発当たり、検討事項は、周りを見ますといかに腰痛で困って要る人が多いことである、現代人の多くは、自動車に乗ることが多くストレスがたまることによる、運動不足や、過労などが大きな原因となり、気の流れが滞り、背骨や骨盤のずれることにより、腰痛が起こるとされております、胃腸の調子も変化します、安眠にもなります、幅を取っているのは、志室のツボも刺激できます、ここは、腎臓にも良いとされます、第二腰推、ここから左右に７〜８ｃｍ外側にあります、特に、慢性疲労に効き目があります。【００６】東洋医学では、腰眼というツボがあります、これより背骨に対して直角に上下４カ所の背骨を対象として、刺激をしますと体全身が、軽くなることから、寝ている間に出来れば良いことに気づき、商品化しました。【００７】腰眼とは、腰骨と同じ高さの背骨から、両脇に掛けて筋肉が有ります、これらを整えますと、痛みが軽くなることになります。又、命門というツボを刺激する事で、活力が得られます、ちょうど、おへその裏側になります。【００８】背骨の両側を刺激することと、もうひとつ上向きに寝ていると腰がへこむ状態になることから、気だるさがあるのでは、この事から、腰を刺激する事の大事さが解る。【００９】上向きに寝ていると、腰のあたりがへこんでいるように思い不安があります、又気だるさも出てきます、磁石で刺激する事と、腰をある程度持ち上げル事により、不快感から解放されることが解りました。【０１０】人により、腰の位置、腰の高さ、腰の設置面積が異なる事でそれらを解消すべく、空気の調整で大きさを調整することが出来るようにした。【０１１】寝ている状態そのままで、空気を入れることにより、各自の良い位置や高さを寝ながらにして、自身で調整出来るようにした。自分自身で、空気を押し入れたりバルブにて自在に調整出来るようにした。【０１２】磁石部分をシート状にし脱着出来ることから、腰だけで無く、首，肩、ひざ等、痛いところに当てることによりそれらの、痛みが軽減できる事が実証された。
【背景技術】
【０１３】ふとんで寝る、ベッドで寝るのは良いのですが、腰のあたりがなぜかたれている感じで、不安に感じている人が多く見受けられますが、なぜかそれらを解消してくれる道具が内容に思う、ただ単に腰に当てるのみならず、磁石の応用を考えたものである。【０１４】腰を浮かせることのみならず、磁石による刺激を得ることにより、より快適な物にした、自分自身でエアーを調整出来、しかも、磁石の力で血流を快調にすることから、慢性的な、疲労や、健康維持に一役買うことが社会的にも、国家的にも必要な物で有る。
【発明の開示】
【発明が解決されようとする課題】
【０１５】腰痛の最大の原因は個人差があります、職業柄や、ＤＮＡ人により幾つかの原因がうかがえますが、困って要る人々の手助けになれば幸いである。
【０１６】小さい痛みでもその人に関しては大変な苦痛に他ならないでしようが、これらの人々が病院に押しかけることで、国家の財政を圧迫していることは事実です、今後の国家的損失を考えたとき、人ごとでは無い事は計り知れません。
【発明の効果】
【０１７】腰痛で苦しんでいる人の多くは、あきらめているように思う、就寝時のほんのわずかな時間で行うことが出来、腰痛と言う痛みを抑えることが出来ます。
【０１８】人それぞれに痛みの定義が異なります、痛みの解消と、腰を伸ばすことにより、腰回りの鬱血が解消され姿勢をただすことにより、血行が良くなり脳にも刺激を与えることにより、頭もしっかりし生きる喜びがわいてきます
【０１９】他人の手を借りず、自分自身で調整出来る事は、今後高齢社会に役立つ物で有る。
【図面の簡単な説明】
【０２０】
【図１】平面図
【図２】断面図                                                                    （図面の説明）
【図１】１バンド一部クリップ付き、２空気送りビニールパイプ  ３エアー手動ポンプ、ゴム製、４腰枕本体、ゴム製  裏側に磁石を配置、５プラス磁石、６マイナス磁石、７バンド、
【図２】１まくら本体、ゴム製、２プラス磁石、３マイナス磁石  ４エアー送りパイプ、ビニール製、５バルブ、６手動ポンプ、ゴム製、
【図１】
2015020043.tif 000003
【図２】
2015020043.tif 000004
(57)【要約】【課題】    シリコンを素材とし、湿気と温感を共に追求したマスクを提供する。【解決手段】  本発明は、マスクとして使用する一枚の方形状からなる薄手のシリコン生地に無数の貫通孔を設け、上下に二つ折りにすることで底辺が有底の袋部となり、上辺は開口部を有する。その袋部に、ガーゼ又は不織布の水分を多く含む材質からなる薄片のフィルターを挿入自由とする。袋部のマスクの両側に耳掛けを設ける。  本発明は、フィルターに水分を含ませてマスクの袋部に開口部より挿入し、電子レンジで加熱してマスクとして使用する。本発明のマスクを装着すると、呼吸時に加熱された湿気が、口の中及び喉に入り快適になる。【選択図】図１
2015020044.tif 000002
【特許請求の範囲】
【請求項１】
本発明は、マスクとして使用する一枚の方形状からなる薄手のシリコン生地に無数の貫通孔を設け、上下に二つ折りにすることで底辺が有底の袋部となり、上辺は開口部を有するその袋部に、ガーゼ又は不織布の水分を多く含む材質からなる薄片のフィルターを挿入自由とする袋部のマスクの両側に耳掛けを設け、  フィルターに水分を含ませてマスクの袋部に開口部より挿入し、電子レンジで加熱するか、マスクの袋部の開口部からフィルターを挿入した後マスクごと水分を含ませて、電子レンジで加熱してマスクとして使用することを特徴とする加湿温感マスク。
【発明の詳細な説明】
【技術分野】
【０００１】本発明は、加湿と温感装置を付加したマスクに関するものである。
【背景技術】
【０００２】従来、加湿装置を付加したマスクは、マスクの内部に備えられたポケットに、水分を含んだガーゼ生地や不織布のフィルターを挿入したものであった。
【発明の概要】
【発明が解決しようとする課題】
【０００３】しかしながら、従来の加湿マスクには次のような問題があった。
喉を潤すための水分を含ませるフィルターを取り付けたものは、フィルターが小さいためフィルターがすぐ乾いてしまうものであり、一般のガーゼマスクを水で濡らしマスクの丈を折り返して使うものは、風邪の流行る冬に冷たいガーゼなどが口に当たるなど使用感が悪い欠点があった。
本発明はこれらの問題点を解決するためになされたものである。
【課題を解決するための手段】
【０００４】本発明は、マスクとして使用する一枚の方形状からなる薄手のシリコン生地に無数の貫通孔を設け、上下に二つ折りにすることで底辺が有底の袋部となり、上辺は開口部を有する。その袋部に、ガーゼ又は不織布の水分を多く含む材質からなる薄片のフィルターを挿入自由とする。袋部のマスクの両側に耳掛けを設ける。
本発明は、フィルターに水分を含ませてマスクの袋部に開口部より挿入し、電子レンジで加熱してマスクとして使用する。本発明のマスクを装着すると、呼吸時に加熱された湿気が、口の中及び喉に入り快適になる。
【発明の効果】
【０００５】  それにより次のような効果が得られる。
（イ）加湿フィルターがマスクより一回り小さくしただけの大きさであるため、水分を十分含ませることが可能になり、かつフィルターが乾いたら水道などで簡単に水気を補充することが出来るので長時間加湿状態での使用が可能である。
（ロ）レンジの使用が可能な場所であればマスクごとレンジで加熱すれば温かく、かつ湿った空気が喉を潤してくれ、喉を痛めた人にとって喉ばかりか胸の中にも温かい蒸気が届き心地良いものである。又単に気持ちがよいだけでなく風邪の予防、喉の痛み緩和など健康に役立つものである。特に夜間、就寝時に使用するとスチーム効果で気持ちよく眠ることが出来るため、効果的でかつ癒されるものである。
（ハ）加湿マスクの本体がシリコンで作られているため何度も丸洗い出来、火傷の危険がなく、非常に衛生的である。
（ニ）何度でも繰り返し洗って使用することが出来るので、現状の使い捨て商品に比べ経済的で資源の無駄を生じないで済むものである。
（ホ）本体がシリコン製なので安価に作ることが出来る。
【図面の簡単な説明】
【０００６】
【図１】本体の正面斜視図
【図２】本発明の分離斜視図
【発明を実施するための最良の形態】
【０００７】以下、本発明の実施の形態について説明する。
（イ）図１に示すように、マスクＡとして使用する本体１は、一枚の方形状からなる薄手のシリコン生地の全面に無数の貫通孔２を設ける。
（ロ）図２に示すように、本体１を上下に二つ折りにすること】で底辺３が有底の袋部５となり、上辺は開口部４を有する。
（ハ）マスクＡの両側に耳掛け６を設ける。
（ニ）袋部５に、ガーゼ又は不織布の水分を多く含む材質からなる薄片のフィルター７を挿入自由とする。
本発明を使用するときは、フィルター７に水分を含ませてマスクＡの袋部５に開口部４より挿入し、電子レンジで加熱してマスクとして使用する。本発明のマスクを装着すると、呼吸時に加熱された湿気が、口の中及び喉の中に入り、口中及び喉奥が温めた湿気で潤いを得て、快適になる。
【符号の説明】
【０００８】１    本体
２    孔
３    底辺部
４    開口部
５    袋部
６    耳掛け
７    フィルター
【図１】
2015020044.tif 000003
【図２】
2015020044.tif 000004
(57)【要約】【課題】  軟性内視鏡の内腔における洗浄プロセスの効果を評価する装置であるプロセス・チャレンジング・デバイスを作製すること。【解決手段】  軟性樹脂チューブ１の両端に、その内径より大な外径を持つ硬性樹脂チューブ２を挿入し、挿入部の外側を熱収縮チューブ３で固定し、軟性内視鏡の内腔において最も洗浄困難である段差４の存在する形状を再現する。【選択図】図２
2015020046.tif 000002
【特許請求の範囲】
【請求項１】
軟性樹脂チューブの両端に、その内径よりも大きな外径の硬性樹脂チューブを挿入し、固定することによって軟性内視鏡内部の段差形状を再現したことを特徴とする洗浄評価装置用の器具。
【請求項２】
前記軟性樹脂チューブ、硬性樹脂チューブ、およびそれらを固定する熱収縮チューブ等を透明あるいは半透明の素材で構成し、有色のテストソイルを内側に塗布した場合に目視にて洗浄効果を確認することができる請求項１の器具。
【発明の詳細な説明】
【技術分野】
【０００１】本発明は、軟性内視鏡の内腔における洗浄プロセスの効果を評価する装置に関する。
【背景技術】
【０００２】  手術器具の洗浄効果の評価を行う方法として、ステンレス等のプレート上に洗浄評価用人工汚染物（テストソイル）を塗布したインジケーターを器具と共に洗浄し、洗浄後のテストソイルの残留の有無を目視で確認することによって評価する方法が広く知られている。また、インジケーターを透明なケース内に入れることにより、鋼製小物のボックスロック部のような洗浄困難な部分に対する洗浄効果を目視で評価できるものがある（非特許文献１参照）。また、インジケーターを、軟性内視鏡を模したチューブ内に挿入し、軟性内視鏡の内腔（チャンネル）に対する洗浄効果を評価する装置もある（非特許文献２参照）。また、洗浄済みの軟性内視鏡のチャンネル内を専用ブラシで拭き取り、拭き取ったものを試薬を用いて分析することで、残留血液あるいは残留タンパク質を検出して洗浄効果を評価する方法もある（非特許文献３参照）。
【先行技術文献】
【非特許文献】
【０００３】
【非特許文献１】「洗浄インジケーターＴＯＳＩ」カタログ
【非特許文献２】「洗浄インジケーターＴＯＳＩ−ＦｌｅｘｉＣｈｅｃｋ」カタログ
【非特許文献３】「軟性内視鏡チャンネル内残留蛋白質検出キットＰｙｒｏｍｏｌ−Ｅ・軟性内視鏡チャンネル内残留血液検出キットＨｅｍｏＣｈｅｃｋ−Ｅ」カタログ
【発明の概要】
【発明が解決しようとする課題】
【０００４】  軟性内視鏡の鉗子チャンネルは、通常、吸入チャンネルと兼用になっており、内視鏡本体内部で、吸入ポンプへつながるチャンネルと、鉗子孔へ向かう斜めのチャンネルとに分岐している。鉗子孔への分岐を形成するため、体内へ挿入する側のチューブと吸入ポンプ側のチューブは分断されており、本体との間にチューブ肉厚に相当する段差が生じる。この段差部分が軟性内視鏡の内部で最も洗浄しにくく、また洗浄の評価も困難な箇所となっている。【０００５】  透明なケース内に有色のテストソイルを塗布したプレートを入れて、洗浄対象物と共に洗浄する方法は、一般的な手術器具の洗浄評価としては十分であるが、軟性内視鏡のチャンネルのような複雑な構造の洗浄を評価することはできない。【０００６】  軟性内視鏡を模したチューブ内にテストソイルを塗布したプレートを挿入した方法では、軟性内視鏡の内腔に付着した汚染物に対する洗浄効果を直接評価することができない。また、自動洗浄前にはブラシを用いた用手洗浄を実施することが洗浄のガイドライン等で推奨されているが、この方法では用手洗浄の効果が評価できないという問題点がある。【０００７】  専用ブラシにより洗浄済みの軟性内視鏡のチャンネル内を拭き取り、試薬を用いる方法では、操作が煩雑であること、検出された残留物がどの箇所に付着したものかが分からないこと、専用ブラシの操作によっては残留物を拭き取れず検出できない場合があることなどが問題となる。
【課題を解決するための手段】
【０００８】  透明、または半透明の軟質樹脂製のチューブの両端に、その内径より大である透明、または半透明の硬質樹脂製の２本のチューブを差し込んで固定し、吸入・鉗子チャンネルと軟性内視鏡ハンドル内腔の段差を模した中空形状を作成し、この内側にテストソイルを塗布する。
【発明の効果】
【０００９】  内径より大きな径の硬性樹脂チューブを両端に差しこまれた軟性樹脂チューブは、肉厚に等しい段差を生じる。この段差の高さと間隔を市販の軟性内視鏡よりも大きなものとすることで、より洗浄の困難な形状となる。【００１０】  この器具の内側にテストソイルを塗布し、用手および自動洗浄機で洗浄後に切断して内側の残留物を分析することにより、洗浄が最も困難な段差部を含めた軟性内視鏡の内腔チャンネルの洗浄効果を評価することが可能となり、洗浄プロセスを評価するための、プロセス・チャレンジング・デバイス（ＰＣＤ）とすることができる。【００１１】  また、塗布するテストソイルを有色とし、各部材を透明または半透明にすることによって、目視による洗浄性の確認も可能となる。
【図面の簡単な説明】
【００１２】
【図１】本発明の実施の形態を示す全体構成図。
【図２】前記器具の軟性樹脂チューブ付近を示す断面図。
【発明を実施するための形態】
【実施例】
【００１３】  以下、本発明の実施の形態につき、図面を参考にしながら説明する。作業チャンネルおよび吸入ポートを模した長さ５００ｍｍ、内径４ｍｍ、外径５ｍｍの２本の硬質樹脂（本例ではポリテトラフルオロエチレン（ＰＴＦＥ）製）チューブ２を、鉗子挿入孔への分岐部を模した長さ３０ｍｍ、内径４ｍｍ、外径５ｍｍの軟質樹脂（本例ではシリコーン製）チューブ１の両端へ挿入する。これにより形成される段差４は０．５ｍｍである。硬質樹脂チューブ２同士の間隔は、１５ｍｍとなるようにする。この状態で固定するために、チューブの重なり合った部分から硬質樹脂チューブ２にかけて熱収縮チューブ３を被せ、加熱して収縮させる。この器具の内側にテストソイルを塗布することにより、洗浄評価のためのＰＣＤとなる。
【符号の説明】
【００１４】１．軟性樹脂（シリコーン）テューブ
２．硬性樹脂（ＰＴＦＥ）チューブ
３．熱収縮チューブ
４．段差
【図１】
2015020046.tif 000003
【図２】
2015020046.tif 000004
(57)【要約】【課題】これまで調理器具の収納方法は引き出しなどに収納するか、壁に設置したフックにぶらさげるという方法であり、使用する際に調理器具を収納から取り出す手間やフックから外す手間が生じていた。【解決手段】調理器具の取っ手内部に磁石を埋め込んだマグネットキッチンツール。【選択図】図１
2015020042.tif 000002
【特許請求の範囲】
【請求項１】
取っ手内部に磁石を設置した調理器具。
【発明の詳細な説明】
【技術分野】
【０００１】  本発明は、調理器具に関するものである。
【背景技術】
【０００２】  従来、調理器具の収納方法は引き出しなどに収納するか、壁に設置したフックにぶら下げるという方法であった。
【先行技術文献】
【特許文献】
【０００３】
【実用新案文献１】
実用新案出願平９−７８１７
【発明の概要】
【発明が解決しようとする課題】
【０００４】  これまで調理器具の収納方法は引き出しなどに収納するか、壁に設置したフックにぶらさげるという方法であり、使用する際に調理器具を収納から取り出す手間やフックから外す手間が生じていた。
本発明は、以上の問題を解決するためのものである。
【課題を解決するための手段】
【０００５】  調理器具の取っ手内部に磁石を埋め込んだマグネットキッチンツール。
【発明の効果】
【０００６】  調理器具を収納から取り出す手間やフックから外す手間を省略することができる。
【図面の簡単な説明】
【０００７】
【図１】本発明の側面図
【発明を実施するための形態】
【０００８】  以下、本発明の実施の形態を説明する。
（イ）調理器具本体（１）に設けた取っ手（２）の内部に磁石（３）を設ける。
本発明は以上のような構造である。
本発明を使用するときは、取っ手に内臓された磁石の力を利用して、金属などに接着する。
【符号の説明】
【０００９】  １本体、２取っ手、３磁石
【図１】
2015020042.tif 000003
(57)【要約】【課題】物を指先でつまむ道具において、着脱が容易で指先の汚れを防ぐことを特徴とするお手軽万能指サックを提供する。【解決手段】グラシン紙・パラフィン紙やＰＥＴ樹脂フィルム等、耐油性・耐水性に優れた紙で形成された正方形とその正方形を四分の一にした正方形三つを組み合わせ、立体化にすることによって三つの四角錐と指カバーができる為、四角錐の底面側は三本の指サックと着脱が容易、先端側は設置面の汚れ軽減と自立して設置できることを特徴とするお手軽万能指サックである。【選択図】図１
2015020047.tif 000002
【特許請求の範囲】
【請求項１】
物を指先でつまむ道具において、グラシン紙・パラフィン紙やＰＥＴ樹脂フィルム等、
耐油性・耐水性に優れた紙で形成された正方形とその正方形を四分の一にした正方形
三つを組み合わせ、立体化にすることによって三つの四角錐と指カバーができる為、
四角錐の底面側は三本の指サックと着脱が容易、先端側は設置面の汚れ軽減と自立して設置できることを特徴とするお手軽万能指サック。
【請求項２】
正方形の大きさの比率を均等に変えることによってサイズの変更が可能である請求項１記載のお手軽万能指サック。
【発明の詳細な説明】
【技術分野】
【０００１】物を指先でつまむ道具において、グラシン紙・パラフィン紙やＰＥＴ樹脂フィルム等、
耐油性・耐水性に優れた紙で形成された正方形とその正方形を四分の一にした正方形
三つを組み合わせ、立体化にすることによって三つの四角錐と指カバーができる為、
四角錐の底面側は三本の指サックと着脱が容易、先端側は設置面の汚れ軽減と自立して設置できることを特徴とするお手軽万能指サック。
【背景技術】
【０００２】指サックとしては着脱が容易なつまみ用指サックが特許文献１で知られている。
これによるとエラストマーで形成されて弾性を有し、着脱が容易で汚れが指先に付着するのを防止するというものであった。
【先行技術文献】
【特許文献】
【０００３】
【特許文献１】  実用新案公開平２２−３１５９７９８号公報
【発明の開示】
【発明が解決しようとする課題】
【０００４】そのために、次のような問題点があった。
（イ）自立する形状を考えたとき、コスト上昇が懸念となる。
（ロ）再度使用する際、洗う手間があったり、汚れが落ち切れていない場合は匂いが残っ      ていたりして衛生面にも気になる。
（ハ）繰り返し使える素材なだけに一度買うとなかなか捨てられない。
そこでこの発明は、以上の問題点の解決も含め、ティシューや紙ナプキンを使うような手軽さを兼ね備えた、指先の汚れを防ぐ指サックを提供することを課題とする。
【課題を解決するための手段】
【０００５】グラシン紙・パラフィン紙やＰＥＴ樹脂フィルム等、
耐油性・耐水性に優れた紙で形成された正方形とその正方形を四分の一にした正方形
三つを組み合わせ、立体化にすることによって三つの四角錐と指カバーができる為、
四角錐の底面側は三本の指サックと着脱が容易、先端側は設置面の汚れ軽減と自立して設置できることを特徴とするお手軽万能指サック。
【発明の効果】
【０００６】素材が紙であり、構造が単純なものとなっている為、製造コストの削減も期待される。
又製造工程について、機械作業だけでなく手作業に切り替えることもできる為、
雇用率アップにも貢献できると思われる。【０００７】紙で形成されている為、折りたたみが可能でどこへでも用いることができ、ティシューや紙ナプキンを使うような清潔さと使い捨ての手軽さや用途を選ばない万能さを兼ね備えている。【０００８】正方形とその正方形を四分の一にした正方形三つを組み合わせ、立体化にすることによって三つの四角錐と指カバーができる為、四角錐の底面側については着脱が容易、先端側については設置面の汚れ軽減と自立して置ける指サックができる。【０００９】指カバーがあることによって、挿入していない指への油もの・汁ものの汚れ飛び散りを防ぐことができる。【００１０】指カバーを折ると設置面は増えるが道具の指の挿入場所が斜め向きになり、より着脱が容易になる。【００１１】紙なのでお店の情報等の印刷が可能な為、宣伝効果も期待できる。
指カバーを折った所にロゴマークを入れるのも良い。【００１２】
【発明を実施するための最良の形態】
【００１３】以下、本発明の実施の形態について説明する。
（イ）正方形とその正方形を四分の一にした正方形三つを組み合わせ、立体化にする
（図１参照）。
このお手軽万能指サックの使い方としては、挿入する三本指のうち二本で道具を挟むことができるので、手から落ちることはない。
とうもろこし等大きい物をつかむときには、両手で装着するとより安定する。
【図面の簡単な説明】
【００１４】
【図１】本発明の斜面図
【図２】本発明の斜面図の指カバーを折り曲げた図
【図３】本発明の使用説明を示す斜面図
【符号の説明】
【００１５】１  三本指  挿入場所
２  その他二本指  挿入場所
【図１】
2015020047.tif 000003
【図２】
2015020047.tif 000004
【図３】
2015020047.tif 000005
(57)【要約】【課題】腕立て伏せ運動の一動作の負荷を減らすためのものである。また携帯でき、場所を選ばず、効率よくトレーニングするためのものである。【解決手段】本発明は、Ｌ字型の部分（図１のＦ部）に握り手を、角度をもって固定装着したものである。本発明Ｆ部を、机などの直角の角部にぴったりと押し付け、運動する人は足をやや後ろに引き、体を鉛直より角度を付けつつ通常の腕立て伏せ運動を行う。【選択図】図１
2015020052.tif 000002
【特許請求の範囲】
【請求項１】
デスク、テーブル、階段など、床より高位置の面とその角に設置することで、身体に傾斜をあたえ、従来の水平面で行う腕立て伏せ運動より、負荷を減らすことを特徴とする、腕立て伏せ運動器具。
【請求項２】
左右１対の器具で軽量、ハンディ、簡素、安全な器具である。
【発明の詳細な説明】
【技術分野】
【０００１】    本発明は床より高位置であるデスク、テーブル、階段などの水辺面とその角の側面にＬ時の部分を設置し、それに握り手部分を付けることにより、傾斜のある腕立て伏せ運動を効果的に行うためのトレーニング器具である。
【背景技術】
【０００２】    従来の腕立て伏せ運動器具は、床などに設置して行うため、一度の腕立て伏せ運動にはある程度の大きな負担がかかり、筋力の弱い者には繰り返し行うことが困難であった。トレーニングは回数によって調整され、一動作の段階的な調整というのはできなかった。
【発明の概要】
【発明が解決しようとする課題】
【０００３】    腕立て伏せ運動の一動作の負荷を減らすためのものである。また携帯でき、場所を選ばず、効率よくトレーニングするためのものである。
【発明を解決するための手段】
【０００４】    本発明は、Ｌ字型の部分（図１のＦ部）に握り手を、角度をもって固定装着したものである。左手用、右手用の１対で１セットである。本発明Ｆ部を、机などの直角の角部にぴったりと押し付け、運動するものは足をやや後ろに引き、体を鉛直より角度を付けつつ通常の腕立て伏せ運動を行う。
【発明の効果】
【０００５】    力学的には、平地の腕立て伏せ運動に比べて数分の一の力ですみ、腕力の乏しい者にも何度も繰り返し行うことができ、健康、体力アップに寄与する。高齢者なども軽い負荷で運動できる。
【図面の簡単な説明】
【０００６】
【図１】  本発明の斜め上方から見た図である。
【図２】  本発明の実施例である。
【図３】  本発明の側面図である。
【図４】  本発明の上面図である。
【発明を実施するための形態】
【０００７】    本発明は２箇１対で使用する。図１は、基部Ｆを机の角部に密着させ握り手Ｐ部を用い、斜め腕立て伏せ運動をする。
【０００８】    図３のように、握り手Ｐはパイプ材で基部Ｆに２ヶ所で強く固定されている。側面から見て基部は机の角に密着するようにＬ字型をしている。
【０００９】    図４のように、基部Ｆは翼状部があり左右の力に対し安定性がある。
【図１】
2015020052.tif 000003
【図２】
2015020052.tif 000004
【図３】
2015020052.tif 000005
【図４】
2015020052.tif 000006
(57)【要約】      （修正有）【課題】抜け毛を防ぎ育毛をそく進します。【解決手段】強磁性体のクシと半導体線を持たせ体から電子がアースされて行きます。【選択図】図１
2015020059.tif 000002
【特許請求の範囲】
【請求項１】
強磁性体のクシに半導体線を組み合わせたのが「強磁性体半導体付きクシ器」。
日本国中
【発明の詳細な説明】
【技術分野】
【０００１】
【背景技術】
【０００２】従来、抜け毛が多かったがクシに磁性体と半導体を組み合わせることにより軽滅。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
抜け毛と育毛をいかに解決するかと言う問題を解決。
【課題を解決するための手段】
【・・・・】
クシに強磁性体と半導体を組み合わせて男性らしさ、女性らしさをい持することが出来ます。
【発明の効果】
【・・・・】
育毛そく進と頭ひの活発化がはかれます。
【図面の簡単な説明】
【・・・・】
【図１】
正面図
【図２】
側面図
【図３】
平面図
【発明を実施するための形態】
【・・・・】
毎日クシを髪を通す時に抜け毛がたえなかった。これがもったいないといつも考えて居た。そこでクシに強磁性体と半導体線を組み合わせた。
【実施例】
【・・・・】
【産業上の利用可能性】
【・・・・】
【符号の説明】
【・・・・】
図２（１）半導体線（２）強磁性体クシ
図３（１）半導体線（２）強磁性体クシ（３）クシの補助部分
【受託番号】
【・・・・】
【図１】
2015020059.tif 000003
【図２】
2015020059.tif 000004
【図３】
2015020059.tif 000005
【手続補正書】
【提出日】平成26年8月28日(2014.8.28)
【手続補正１】
【補正対象書類名】明細書
【補正対象項目名】全文
【補正方法】変更
【補正の内容】
【発明の詳細な説明】
【技術分野】
【０００１】この発明は、強磁性体と半導体に関するものである。
【背景技術】
【０００２】従来、強磁性体と半導体クシとは別々になっていた。
【特許文献】
【０００３】特解  ２００４−１５９７２７号広報
【特許文献１】
【発明の概要】
【発明が解決しようとする課題】
【０００４】これは、次のような欠点があった。
クシを通すたびに抜け毛、フケが多く出、育毛剤を使用しないと髪が生えてこない。
本発明は、以上のような欠点をなくすためになされたもおである。
【課題を解決するための手段】
【０００５】（１）強磁性体に（２）半導体クシを設けた。
本発明は以上の構成よりなる強磁性体付き半導体である。
【効果の説明】
【０００６】強磁性体付えいききクシに半導体をつけることにより抜け毛予防、発毛促進ができて頭皮の血行がよくなるので使うのになんらさしつかえがない。
【図面の簡単な説明】
【０００７】
【図１】本発明の正面図である。
【図２】半発明の側面図である。
【図３】本発明の平面図である。
【発明を実施するための形態】
【０００８】以下、本発明を実施するための形態について説明する。
（１）強磁性体に（２）の半導体を接続したクシである。
本発明は以上のような構造である。
【産業上の利用可能性】
【０００９】頭皮の血行、育毛促進  髪の骨太におおいに役に立ち、頭皮の血行促進に大変有効であります。
抜け毛があっても次からつぎへと髪が生えてきます。
明日への活力がみなぎるように力がわいてきます。
【符号の説明】
【０００１０】１  強磁性体クシ
２  半導体